(57)【要約】【課題】簡易な構造で動きのある照明を作り出すライトアップ用装置を提供する。【解決手段】建物の外壁や部屋の壁面に水面のような動きのある照明を作り出すライトアップ用装置において、このライトアップ用装置が照明の光源となる機器と水流を作る装置を備えた水を溜めている容器を有し、前記水を溜めている容器の底面に、光源となる機器で発生した照明を反射することの出来ように、平滑な鏡面を備えた部材が配置されているライトアップ用装置。【選択図】図１
2013026202.tif 000002
【特許請求の範囲】
【請求項１】
建物の外壁や部屋の壁面に水面のような動きのある照明を作り出すライトアップ用装置において、このライトアップ用装置が照明の光源となる機器と水流を作る装置を備えた水を溜めている容器を有し、前記水を溜めている容器の底面に、光源となる機器で発生した照明を反射することの出来ように、平滑な鏡面を備えた部材が配置されていることを特徴とするライトアップ用装置。
【請求項２】
前記水流を作る装置が１箇所または複数箇所に配設されており、制御装置が前記水流を作る装置を制御することにより照明に複数の動きを作り出すことが出来るよう構成されていることを特徴とする請求項１に記載のライトアップ用装置。
【請求項３】
前記水流を作る装置が液体を送ることの出来るポンプもしくは空気を排出することの出来る機器から構成されることを特徴とする請求項１又は請求項２に記載のライトアップ用装置。
【発明の詳細な説明】
【技術分野】
【０００１】本発明は、建物の外壁や部屋の壁面に水面のような動きのある照明を作り出すライトアップ用装置に関する。
【背景技術】
【０００２】建物などの壁面をライトアップしている装置は常時点灯しているか、一定の間隔で点滅している装置がほとんどである。【０００３】動きのある照明を作り出すライトアップ用装置は構造が複雑である。【０００４】なお、本出願人は、本発明に関連する先行技術については、本出願時においてその存在を知らない。
【先行技術文献】
【特許文献】
【非特許文献】
【発明の概要】
【発明が解決しようとする課題】
【０００５】本発明は、前記問題を解消するためになされたものであり、簡易な構造で動きのある照明を作り出すライトアップ用装置を提供することを目的とする。
【課題を解決するための手段】
【０００６】建物の外壁や部屋の壁面に水面のような動きのある照明を作り出すライトアップ用装置において、このライトアップ用装置が照明の光源となる機器と水流を作る装置を備えた液体を溜めている容器を有し、前記液体を溜めている容器の底面に光源となる機器で発生した照明を反射することの出来ように平滑な鏡面の部材が配置されていることを特徴とする。【０００７】このように構成された本発明によるライトアップ用装置によれば、光源となる機器からの光を液体を溜めている容器に当てることにより、水面に反射する光が揺れて動きのある照明を作り出すことが出来る。【０００８】前記ライトアップ用装置の光源となる機器にはハロゲン球やＬＥＤ球を用いられる。【０００９】ところで自然の風景でも太陽光が液体面に当たることで壁面に水面のような模様の様な光が当たっていることがあるが、人工の光源となる装置を使用した場合、前記ライトアップ用装置に備えられている液体を溜めている容器に光源となる装置からの照明を当てただけでは不十分であり、該液体を溜めている容器の底面に鏡面の平滑な板材を配置することが必要となる。【００１０】前記液体を溜めている容器の底面に平滑な鏡面の部材を配置することにより光源となる装置からの照明の前記液体を溜めている容器に貯えられている液体への入射角度に影響されることなく水面のような模様の照明を作り出すことが出来る。
つまり、光源装置からの照明の前記液体を溜めている容器に貯えられている液体への入射角度は前記液体を溜めている容器に対して水平に近づくほど容易に水面のような模様になるが、前記液体を溜めている容器の底面に鏡面の平滑な板材を配置しない場合、液体への入射角度が垂直に近づくと水面のような模様にならない。
建物の壁面など高い位置に照明を当ることを想定した場合、液体への入射角度は垂直に近い角度となるので、前記液体を溜めている容器の底面に鏡面の平滑な板材を配置することが必要となる。【００１１】前記液体を溜めている容器に配設された水流を作る装置は液体を送ることの出来るポンプもしくは空気を排出することの出来る機器から構成される。【００１２】また前記液体を溜めている容器に配設された水流を作る装置の液体または空気の出口は、１箇所または複数箇所設置されてこともあり、該出口のどこから水流を発生させるのかを制御することにより、さまざまな模様の照明にすることが出来る。【００１３】本発明にかかるライトアップ用装置において、前記液体を溜めている容器が、該ライトアップ用装置と一体の構造となっていることが好ましい。【００１４】前記液体を溜めている容器内の液体を最低５０ミリの深さにすることが好ましく、故に該液体を溜めている容器は５０ミリ以上の深さを必要とする。【００１５】前記液体を溜めている容器には入れられる液体は、通常は水道水などの水であるが、粘度の高い油の様な液体や色のついた液体を入れることにより、本発明にかかるライトアップ用装置により作り出される照明を変えることが出来る。【００１６】前記ライトアップ用装置の光源となる機器は、屋外での使用や不慮の事故により濡れる事を考慮し、防水構造であることが好ましい。【００１７】ところで前記液体を溜めている容器の底面に鏡面の平滑な板材を配置するが好ましいが、本発明にかかるライトアップ用装置により作り出される照明を変えることを目的として光源となる機器からの照明を効率よく反射できる素材を用いて、たとえば連続した半球形状など平滑な板材以外を配置する場合がある。
【発明の効果】
【００１８】本発明にかかるライトアップ用装置によれば、簡易な構造で動きのある照明を作り出すことが出来る。【００１９】本発明にかかるライトアップ用装置は、簡易の構造であるが故に該ライトアップ用装置の大きさを変えた場合においても同様の効果が得られる。
【図面の簡単な説明】
【００２０】
【図１】本発明にかかわるライトアップ用装置全体の概略の構成を示す図である。
【発明を実施するための形態】
【００２１】以下、添付する図面を参照しつつ本発明にかかるライトアップ用装置の実施形態を説明する。
【００２２】図１は本発明にかかるライトアップ用装置の全体の概略の構成を示した図である。
【００２３】図１に図示するように本発明のライトアップ装置は、光源となる装置０２と液体を溜めている容器０３と鏡面の平滑な板材０４と制御装置０５と水流を発生させる装置０６と水流を発生させる装置の出口０７をライトアップ装置本体０１に備えおり、液体を溜めている容器０３の底面（液体の溜まっている側）に鏡面の平滑な板材０４が配設されている。
【００２４】前記光源となる装置０２に記載している矢印は照明の方向を示しており、照明は前記液体を溜めている容器０３に向かって照射され、前記鏡面の平滑な板材０４で反射され、図１の左側に、本発明のライトアップ装置の照明の効果が現れる。
【００２５】前記ライトアップ装置本体０１には光源となる装置０２からの照明を遮らない様に開口部が設けてある。
【００２６】本発明のライトアップ装置の照明をより効果的にするためには、前記液体を溜めている容器０３には、５０ミリ以上の深さになるように液体を入れておくことが必要となる。
【００２７】図１ではライトアップ装置本体０１内に制御装置０５と水流を発生させる装置０６を配設いた状態で記載されているが、ライトアップ装置本体０１とは独立した形で外部に設置される場合もある。
【００２８】前記水流を発生させる装置０６は、液体を送ることの出来るポンプもしくは空気を排出することの出来る機器が適用され、水流を発生させる装置０６から液体または気体を水流を発生させる装置の出口０７に排出し、液体を溜めている容器０３内の液体の水面を波立たせ、動きのある照明を作り出すことが出来る。
【００２９】図１には記載していないが、水流を発生させる装置０６が、液体を送ることの出来るポンプの場合には、液体を溜めている容器０３内の液体を吸い込む入り口が必要となる。
【００３０】前記光源となる装置０２にはハロゲン球やＬＥＤが用いられ、ＬＥＤの場合には制御装置０５により点灯の間隔や色などが制御されており、制御装置０５は光源となる装置０２に内蔵されている場合もある。
【００３１】前記水流を発生させる装置０６に接続された水流を発生させる装置の出口０７は１箇所または複数箇所配設されていることもある。
該水流を発生させる装置の出口０７が複数個配設されている場合には、制御装置０５により制御され、１箇所または複数箇所が同時に液体を溜めている容器０３内の液体に水流を作る為に液体または空気を排出させるよう構成されている。
【産業上の利用可能性】
【００４１】本発明にかかるライトアップ用装置は、建物の外壁または内壁の照明としてはもとより他の構造物の照明としても利用することが出来る。
【符号の説明】０１・・・ライトアップ装置本体
０２・・・光源となる装置
０３・・・液体を溜めている容器
０４・・・鏡面の平滑な板材
０５・・・制御装置
０６・・・水流を発生させる装置
０７・・・水流を発生させる装置の出口
【図１】
2013026202.tif 000003